【事件の表示】
　平成　６年特許願第　９２９２１号「厚紙製収納体」拒絶査定に対する審判事件〔平成　７年１０月２７日出願公開、特開平　７−２８２５５８、請求項の数（５）〕について、次のとおり審決する。
【結　論】
　原査定を取り消す。
　本願の請求項1〜5に係る発明は、特許すべきものとする。
【理　由】
＜1＞手続の経緯と本願発明　
　本願は、平成6年4月5日の出願であって、その請求項1〜5に係る発明は、平成13年6月6日付け手続補正書により補正された明細書及び当初図面の記載からみて、特許請求の範囲の請求項1〜5に記載された次のとおりのものと認める。　
「【請求項１】　折り畳まれ重ね合わせられる一枚の厚紙と、
　前記重ね合わせられる一方の厚紙部分に、被収納物よりも大きな輪郭で形成され前記重ね合わされた状態で開閉可能な開閉片と、
　前記重ね合わされる他方の厚紙部分で、前記開閉片に対応する箇所に形成された窓と、
　前記被収納物を、前記重ね合わされる厚紙の内面側から前記開閉片の輪郭内において該開閉片に保持させ、且つ、前記被収納物を前記窓内に配置させた状態で収納する保持手段とを備え、
　前記保持手段は、前記重ね合わされる厚紙の内面側から前記開閉片の輪郭内において該開閉片に取着され前記被収納物が挿入される袋で構成されている、
ことを特徴とする厚紙製収納体。
【請求項２】　折り畳まれ重ね合わせられる一枚の厚紙と、
　前記重ね合わせられる一方の厚紙部分に、被収納物よりも大きな輪郭で形成され前記重ね合わされた状態で開閉可能な開閉片と、
　前記開閉片に形成された窓と、
　前記被収納物を、前記重ね合わされる厚紙の内面側から前記開閉片の輪郭内において該開閉片に保持させ、且つ、前記被収納物を前記窓内に配置させた状態で収納する保持手段とを備え、
　前記保持手段は、前記重ね合わされる厚紙の内面側から前記開閉片の輪郭内において該開閉片に取着され前記被収納物が挿入される袋で構成されている、
　ことを特徴とする厚紙製収納体。
【請求項３】　折り畳まれ重ね合わせられる一枚の厚紙と、
　前記重ね合わせられる双方の厚紙部分に、被収納物よりも大きな輪郭で形成され前記重ね合わされた状態で開閉可能な開閉片と、
　前記各開閉片に形成された窓と、
　前記被収納物を、前記重ね合わされる厚紙の内面側から各開閉片の輪郭内において該開閉片に保持させ、且つ、前記被収納物を前記窓内に配置させた状態で収納する保持手段とを備え、
　前記保持手段は、前記重ね合わされる厚紙の内面側から前記開閉片の輪郭内において該開閉片に取着され前記被収納物が挿入される袋で構成されている、
　ことを特徴とする厚紙製収納体。
【請求項４】　前記被収納物は、フロッピーディスクやコンパクトディスク等のような記録媒体をなすディスクである請求項１，２または３記載の厚紙製収納体。
【請求項５】　前記厚紙は、前記ディスクとほぼ同じ厚みを有する請求項４記載の厚紙製収納体。」　
　
＜2＞引用例　
　本願の請求項1〜5に係る発明に対して、原査定の拒絶の理由には、下記の刊行物1〜4が引用されている。　
　刊行物1：実願昭63-163376号（実開平2-82568号）のマイクロフィルム　
　刊行物2：実願平3-76601号（実開平5-29989号）のＣＤ−ＲＯＭ　
　刊行物3：実願昭58-76054号（実開昭59-185769）のマイクロフィルム　
　刊行物4：実願平2-17948号（実開平3-78794号）のマイクロフィルム　
　
　刊行物1〜4には、図面を引用して、例えば次の記載がある。　
　
＜刊行物1＞実願昭63-163376号（実開平2-82568号）のマイクロフィルム　
ａ：
「２．実用新案登録請求の範囲　　　　　　　　　　　　　　　　　　　　　　　　　　　 厚手に設けられた表紙と裏表紙との少なくとも一方に、透明板で覆われた外窓を有するコンパクトディスク収納凹部を備え、前記コンパクトディスク収納凹部はディスク保持凸部を有する開閉蓋で開閉可能に覆われていることを特徴とする本。」
ｂ：　
「〔産業上の利用分野〕本考案は、本、特にコンパクトディスク（５インチ、３インチのものを含む）を有するに関するものである。」（第1頁第11〜14行）
ｃ：　　
「〔実施例〕つぎに、本考案を第１図に示すー実施例に基づいて詳細に説明する。
　図中1は本で、該本の表紙2には内側から凹陥されたコンパクトディスク収納凹部３が設けられている。前記コンパクトディスク収納凹部３には外方に臨む外窓４が開設され、この外窓４を覆うようにして透明板５が装着されている。
　　またコンパクトディスク収納凹部３は表紙２の内側に位置する開閉蓋８に開閉可能に覆われている。この開閉蓋６の中央にはディスク保持凸部７が位置していて、コンパクトディスク８を前記ディスク保持凸部７に取り付けて閉じることによって前記コンパクトディスク８がコンパクトディスク収納凹部３に収納され、前記外窓４から透明板５を通してコンパクトディスク８の光輝面を外方より目視できるようになる。さらには前記開閉蓋６を聞くことによりコンパクトディスク８が共に引き出され、容易にコンパクトディスク８が取り出せるようになる。
　符号９は上記開閉蓋を止める切欠きからなる止め部を示す。」（第3頁第10行〜第4頁第11行）　
＜刊行物2＞実願平3-76601号（実開平5-29989号）のＣＤ−ＲＯＭ　
ｄ：
「【実用新案登録請求の範囲】
【請求項１】　コンパクトディスクを収納するに必要なある程度の剛性を有
する紙製の方形の支持片と、片面側が前記支持片の片面側に貼着されると共に、前記コンパクトディスクの厚みと等しいかまたは若干厚くかつ前記支持片の厚みと等しいかまたは若干薄い板紙もしくはボール紙からなり、前記コンパクトディスクの直径と等しいかまたは若干大きいディスク収納用穴がくり抜き形成された枠片と、を備えて成ることを特徴とするコンパクトディスク用保護ジャケット。
【請求項２】　前記枠片の他面側に、表紙片をその少なくとも一部を貼着して設けるようにしたことを特徴とする請求項に記載のコンパクトディスク用保護ジャケット。
【請求項３】　前記ディスク収納用穴の支持片側に、信号読取り面保護用の不織布を貼着するようにしたことを特徴とする請求項１に記載のコンパクトディスク用保護ジャケット。
【請求項４】　前記支持片としては、５５０ｇ／ｍ2 以上の剛性を有する板紙を用いるようにしたことを特徴とする請求項１に記載のコンパクトディスク用保護ジャケット。
【請求項５】　前記枠片としては、５００ｇ／ｍ2 以上の剛性を有する板紙を用いるようにしたことを特徴とする請求項１に記載のコンパクトディスク用保
護ジャケット。」
ｅ：
「【０００１】【産業上の利用分野】本考案は、光学式記録ディスク（以下、コンパクトディスクと称する）を雑誌等の書籍に添付する際に使用される保護ジャケットに係り、特に書籍が中綴じの場合にも、コンパクトディスクの反り、破損が生ずることなく確実に保護しつつコンパクトディスクを書籍に容易に添付し得るようにしたコンパクトディスク用保護ジャケットに関するものである。」
ｆ：
「【００２０】次に、このようにしてコンパクトディスクがセットされた本コンパクトディスク用保護ジャケットを、図３または図４にそれぞれの概要図を示すように、無せん綴じまたは中綴じで製本した書籍６または７のある頁６ａまたは７ａに、のり６ｂまたは針金７ｂによって綴じ込まれたジャケット収納用の紙袋６ｃまたは７ｃの内部に収納することにより、書籍６または７にコンパクトディスクを添付する。なお、図中６ｄまたは７ｄは、書籍６または７の表紙を示している。」
ｇ：　
「【００３９】【考案の効果】以上説明したように本考案によれば、コンパクトディスクを収納するに必要なある程度の剛性を有する紙製の方形の支持片と、片面側が支持片の片面側に貼着されると共に、コンパクトディスクの厚みと等しいかまたは若干厚くかつ支持片の厚みと等しいかまたは若干薄い板紙もしくはボール紙からなり、コンパクトディスクの直径と等しいかまたは若干大きいディスク収納用穴がくり抜き形成された枠片とを備えて構成するようにしたので、書籍が中綴じの場合にも、コンパクトディスクの反り、破損が生ずることなく確実に保護しつつコンパクトディスクを書籍に容易に添付することが可能な極めて実用的で信頼性の高いコンパクトディスク用保護ジャケットが提供できる。」
＜刊行物3＞実願昭58-76054号（実開昭59-185769）のマイクロフィルム　
ｈ：
「２．実用新案登録請求の範囲
　レコード盤を収納する凹部を形成したジャケット本体部とこれを蔽いかつ見開き可能な扉部とからなるレコードジャケット。」　
ｉ：　
「第１図は、この考案に係るレコードジャケットのー実施例を示す図で１は、レコード盤の厚みより大きい厚さの板紙で正方形に形成されるジャケット本体部で、その中央部には、レコード盤を収納するための凹部１ａが設けられている。この凹部１ａは、その一辺がレコード盤におけるＥＰ盤の径よりやや大きい正方形で、深さもレコード盤の厚みよりやや深く形成されている。２は、扉部で、自立しうる程度の厚紙で形成されている。この扉部２は、レコード盤の収納時にはジャケット本体部１を蔽って、いわば蓋体の機能を有し、レコード盤をとりだすときは、見開き可能なように、いずれかの一辺部をジャケット本体部１の辺部と接合してある。
　第２図は、この考案に係るレコードジャケツトの他の実施例を示す図で、この実施例においてレコード盤を収納する凹部１ａは、ＥＰ盤の径よりやや大きめの円形に形成され、レコード盤を取出す際の利便を考え一対の指差部１ｂを凹部１ａの円周の端部に対向して設けてある。」（第3頁第7行〜第4頁第6行）　　
　
＜刊行物4＞実願平2-17948号（実開平3-78794号）のマイクロフィルム　
ｊ：　
「産業上の利用分野
この考案は、ＣＤあるいはレーザーディスク（商品名以下ＬＤと省略する）等について新しい所蔵の方法を提案するものとして、台紙状に用いられるシートと、該シートを蔽うカバーシ一トとの２牧のシートの間にＣＤ等を嵌め込んで保持させるようにしたＣＤ用等のアルバムに関する。」（第6頁第12行〜第7頁第1行）　
ｋ：　
 「第２図に示す実施例２は、実施例１と同様にして形成したシ−ト１、嵌合凹部２、指掛け用凹部３、粘着面４ａ、透明フィルム５ａおよび表示７を備えた２枚のＣＤ用のアルバムＡを見開き状に開閉する卓上等の置型のフレームＦＩの表面と一体に備えた場合のもので、この実施例２は、嵌合凹部２にそれぞれＣＤ６を収容して、ＣＤの非使用時にはそれ自体が表示７に表現した室内装飾性を具備し、折り畳んで別に収納することも可能にしている。」（第17頁第11行〜第18頁第2行）　
ｌ：　
「 第５図に示す実施例Ｖは、ＣＤ６とほぼ同等の厚さを有するカバーシート５に円形の窓孔10を設けて、該カバーシート５の表側を実施例４と同様に透明なフィルムで被覆することによって、カバー側のみに嵌合凹部２を設けて、このカバーシート５を側縁で連結して開閉するように構成する一方、シート１の表面に、ＣＤ６の中心に具えられている中心の凹部に対応して位置決め凸部１１を設けたものである．
 上記のように、シート１の表面の位置決め凸部11にＣＤ６の中心部分を保持し、その上から裏面に嵌合凹部２を設けたカバーシート５を重合わせるようにしたこの実施例Ｖによれば、アルバムＡの厚さが多少増しても、特別にその重ね合わせ面を接着面に形成せずに、２枚のシート１，５の間でＣＤ６を確実に保持させることができる。」（第20頁第15行〜第21頁第13行）　
ｍ：　
第5図には、連結されたシート1とカバーシート5が、連結線で折られているので、折り畳まれ重ね合わされる一枚の厚紙のようにみえる点が記載されている。
　
　
＜3＞請求項1に係る発明について　
＜3-1＞刊行物1記載の発明との対比　
　刊行物1記載の発明を本願請求項1に係る発明と対比すると、
刊行物1記載の発明の本の「表紙」は厚手に設けられた表紙（記載ａ）であるから、本願請求項1に係る発明の「厚紙」に相当し、
刊行物1記載の発明において表紙に形成された「外窓4のあるＣＤ収納凹所3」も、本願請求項1に係る発明の「窓」も、一種の＜収納空間＞であるということができ、また、刊行物1記載の発明における「デイスク保持凸部7」は、本願請求項1に係る発明の「袋」と同様に、一種の「保持手段」であるということができる。
　すなわち、刊行物1記載の発明の「表紙2」「開閉蓋6」「デイスク保持凸部7」は、本願請求項1に係る発明の「厚紙」「開閉片」「保持手段」に相当するということができる（以上の対比関係を、以下、＜対比1＞という）から、
両者は、　
「厚紙と、厚紙部分に、被収納物よりも大きな輪郭で形成された開閉片と、＜収納空間＞と、被収納物を、開閉片の輪郭内において該開閉片に保持させ、且つ、前記被収納物を前記＜収納空間＞内に配置させた状態で収納する保持手段とを備えた、ことを特徴とする厚紙製収納体」（以下、＜一致点1＞という）、
で一致するが、次の点で相違する。　
＜相違点1ａ＞　
　「厚紙」が、本願請求項1に係る発明においては「折り畳まれ重ね合わされる一枚の」厚紙であるのに対し、刊行物1記載の発明においては、そのような構成ではない。
＜相違点1ｂ＞　
　「開閉片」が、本願請求項1に係る発明においては、折り畳まれ重ね合わされる一枚の厚紙の「重ね合わせられる一方の」厚紙部分に形成され、「重ね合わされた状態で開閉可能」であるのに対し、刊行物1記載の発明においては、そのような構成ではない。
＜相違点1ｃ＞
　＜収納空間＞が、本願請求項1に係る発明においては、折り畳まれ重ね合わされる一枚の厚紙の「重ね合わされる他方の厚紙部分で、前記開閉片に対応する箇所に形成された窓」であるのに対し、刊行物1記載の発明においては、そのような構成となっていない。
＜相違点1ｄ＞　
　「保持手段」が、本願請求項1に係る発明においては、折り畳まれ重ね合わされる一枚の厚紙の「重ね合わされる厚紙の内面側から前記開閉片の輪郭内において該開閉片に取着され前記被収納物が挿入される袋で構成されている」のに対し、刊行物1記載の発明においては、開閉片の中央に設けられた保持凸部で構成されている。　
　
＜3-2＞相違点についての判断
　次に、上記相違点1ａ〜1ｄについて検討する。
　ところで、刊行物4には、「第5図に示す実施例ｖは・・・ＣＤ６とほぼ同等の厚さを有するカバーシート５に円形の窓孔10を設けて・・・カバーシート５を側縁で連結して開閉するように構成する」（記載ｌ）と記載され、第5図には、連結されたシート1とカバーシート5が、連結線で折られ、折り畳まれ重ね合わされる一枚の厚紙のようにみえる点が記載されている（記載ｍ）から、刊行物1記載の発明の「厚紙（本の表紙）」に代えて、相違点1ａの本願請求項1に係る発明の構成である「折り畳まれ重ね合わされる一枚の」厚紙にすることは、格段の困難性もなく、当業者が容易になし得ることである。
　しかしながら、相違点1ｂ〜1ｄの本願請求項1に係る発明の構成は、いずれも刊行物1〜4には記載も示唆もされてなく、また、本出願前に当該技術分野において周知の技術的事項であるということもできない。　
　そうすると、本願請求項3に係る発明は、刊行物1〜4記載の発明から当業者が容易に想到し得たものとすることはできない。
＜4＞請求項2に係る発明について
＜4-1＞刊行物1記載の発明との対比　
　刊行物1記載の発明を本願請求項2に係る発明と対比すると、本願請求項2に係る発明においても、上記＜対比1＞の点は請求項1に係る発明の場合と同じであり、両者は上記＜一致点1＞で一致し、上記相違点1ａ、1ｂ、1ｄの点で相違し、さらに次の点で相違する。
＜相違点2ｃ＞
　＜収納空間＞が、本願請求項2に係る発明においては「開閉片に形成された窓」である
のに対し、刊行物1記載の発明は、そのような構成とはなっていない、
　
＜4-2＞相違点についての判断　
　上記相違点1ａ、1ｂ、1ｄについての判断は、既述したとおりである。　
　そして、相違点2ｃの本願請求項2に係る発明の構成、すなわち、＜収納空間＞が「開閉片に形成され窓」である点は、刊行物1〜4には記載も示唆もされてなく、また、本出願前の当該技術分野において周知の技術的事項であるということもできない。　
　そうすると、本願請求項3に係る発明は、刊行物1〜4記載の発明から当業者が容易に想到し得たものとすることはできない。　
＜5＞請求項3に係る発明について
＜5-1＞刊行物1記載の発明との対比　
　　刊行物1記載の発明を本願請求項3に係る発明と対比すると、本願請求項3に係る発明においても、上記＜対比1＞の点は請求項1に係る発明の場合と同じであり、両者は上記＜一致点1＞で一致し、上記相違点1ａ、1ｄの点で相違し、さらに次の点で相違する。
＜相違点3ｂ＞
　「開閉片」が、本願請求項3に係る発明においては、折り畳まれ重ね合わされる一枚の厚紙の「重ね合わせられる
双方
＜相違点3ｃ＞
　本願請求項3に係る発明においては、＜収納空間＞が「
各
＜5-2＞相違点についての判断　
　上記相違点1ａ、1ｄについての判断は、既述したとおりである。
　相違点3ｂおよび相違点3ｃの本願請求項3に係る発明の構成は、刊行物1〜4には記載も示唆もされてなく、また、本出願前の当該技術分野において周知の技術的事項であるということもできない。　
　
　そうすると、本願請求項3に係る発明は、刊行物1〜4記載の発明から当業者が容易に想到し得たものとすることはできない。　
　
　
＜6＞請求項4および5に係る発明について　
　本件請求項4に係る発明は、すでに検討した本件請求項1〜3に係る発明を引用しており、また、本件請求項5に係る発明は、該本件請求項4に係る発明を引用しているから、同様に、本願請求項4および5に係る発明は、刊行物1〜4記載の発明から当業者が容易に想到し得たものとすることはできない。　
　
　
＜7＞むすび　
　以上のとおりであるから、本願の請求項1〜5に係る発明は、刊行物1〜4記載の発明に基づいて当業者が容易に発明をすることができたものであるということはできず、特許法第29条第2項の規定により特許を受けることができないとすることはできない。 　
　また、他に本願を拒絶すべき理由を発見しない。　
　よって、結論のとおり、審決する。